(57)【要約】【課題】  ２つの情報再生装置間において、再生情報を送受信することで再生時の操作性を向上させる。【解決手段】  無線又は有線通信手段を介して互いに通信可能な第１の情報再生装置及び第２の情報再生装置を用いた情報再生方法において、前記第１の情報再生装置と前記第２の情報再生装置との接続を遮断した状態で、コンテンツの再生状態を示す再生情報を前記第２の情報再生装置に格納する格納工程と、前記格納工程の後、前記第１及び第２の情報再生装置を通信可能に接続した状態で、前記第２の情報再生装置から前記第１の情報再生装置に、前記再生情報を伝送する伝送工程と、を含み、伝送された前記再生情報に基づいて、前記第１の情報再生装置に記憶された前記コンテンツの再生を行うことを特徴とする。【選択図】  図１
2005251374.tif 000002
【特許請求の範囲】
【請求項１】
無線又は有線通信手段を介して互いに通信可能な第１の情報再生装置及び第２の情報再生装置を用いた情報再生方法において、
前記第１の情報再生装置と前記第２の情報再生装置との接続を遮断した状態で、コンテンツの再生状態を示す再生情報を前記第２の情報再生装置に格納する格納工程と、
前記格納工程の後、前記第１及び第２の情報再生装置を通信可能に接続した状態で、前記第２の情報再生装置から前記第１の情報再生装置に、前記再生情報を伝送する伝送工程と、
を含み、
伝送された前記再生情報に基づいて、前記第１の情報再生装置に記憶された前記コンテンツの再生を行うことを特徴とする情報再生方法。
【請求項２】
前記コンテンツは、前記第１の情報再生装置から前記第２の情報再生装置に入力されることを特徴とする請求項１に記載の情報再生方法。
【請求項３】
前記コンテンツは、前記第１の情報再生装置と前記第２の情報再生装置に独立して入力されることを特徴とする請求項１に記載の情報再生方法。
【請求項４】
他の情報再生装置に対して、無線又は有線通信手段を介して通信可能な情報再生装置において、
前記他の情報再生装置から、コンテンツの再生状態を示す再生情報を受信する再生情報受信部を含み、
受信した前記再生情報に基づいて、記憶部に記憶された前記コンテンツの再生を行うことを特徴とする情報再生装置。
【請求項５】
他の情報再生装置に対して、無線又は有線通信手段を介して通信可能な情報再生装置において、
コンテンツの再生状態を示す再生情報を格納する再生情報格納部と、
前記他の情報再生装置に前記再生情報を送信する再生情報送信部と、
を含むことを特徴とする情報再生装置。
【請求項６】
他の情報再生装置に対して、無線又は有線通信手段を介して通信可能な情報再生装置を用いた情報再生方法において、
前記他の情報再生装置から、コンテンツの再生状態を示す再生情報を受信する再生情報受信工程と、
受信した前記再生情報に基づいて、前記コンテンツの再生を行う再生制御工程と、
を有することを特徴とする情報再生方法。
【請求項７】
他の情報再生装置に対して、無線又は有線通信手段を介して通信可能な情報再生装置を用いた情報再生方法において、
コンテンツの再生状態を示す再生情報を格納する再生情報格納工程と、
前記他の情報再生装置に前記再生情報を送信する再生情報送信工程と、
を有することを特徴とする情報再生方法。
【請求項８】
請求項６または７に記載の情報再生方法の各ステップをコンピュータに実行させるためのプログラムコードを有する、コンピュータで実行可能なプログラム。
【発明の詳細な説明】
【技術分野】
【０００１】
本発明は、情報を装置と共に記憶した端末で再生する情報再生方法、情報再生装置及び情報再生端末に関するものである。
【背景技術】
【０００２】
近年、テレビ放送の多様化が注目されている。従来の通信衛星を使ったＣＳ（Communication Satellite）放送に加え、ＢＳ（Broadcast Satellite）デジタル放送、広帯域ＣＳ放送（いわゆる１１０°ＣＳ放送）も始まりチャネル数が増え視聴者が選択可能な番組が増加した。今後、デジタル地上波テレビ放送が開始される予定であり、番組数がますます増加すると予想される。
【０００３】
一方、番組を記録する記録装置も従来のビデオテープに加え記録型のＤＶＤやハードディスクドライブ（ＨＤＤ）、大容量不揮発性メモリを応用した装置が次々に発売される見通しである。
【０００４】
ところが、多くの視聴者にとって視聴したいテレビ番組が増加してもなかなか視聴時間がとれないという悩みがある。そこで、テレビ番組を携帯機器に録画して空いた時間に、好きな場所で視聴したいという要求が近年高まってきた。
【０００５】
特許文献１には、携帯型情報端末と接続される録画再生装置において携帯型情報装置用にファイル変換する手段や、携帯型情報装置にファイルを送信する手段が記載されている。また、特許文献２には、録画再生装置と接続される携帯型情報端末において予約情報や番組情報を携帯型情報端末に送信する手段が記載されている。
【特許文献１】特開２００２−２６２２２０号公報
【特許文献２】特開２００２−２６２２０８号公報
【発明の開示】
【発明が解決しようとする課題】
【０００６】
ところが、録画再生装置から携帯型情報装置にファイルを転送して再生するといった使い方では、ある番組を一方の装置で途中まで視聴してその途中から他方の装置で続きを再生するといった使い方には対応できない。
【０００７】
本発明は上記の従来技術の課題を解決するためになされたもので、その目的とするところは、共に記憶部を有する情報再生装置と情報再生端末において、動作情報を共有する事で再生時の操作性を向上させる技術を提供することにある。
【課題を解決するための手段】
【０００８】
上記目的を達成するための第１の発明は、無線又は有線通信手段を介して互いに通信可能な第１の情報再生装置及び第２の情報再生装置を用いた情報再生方法において、前記第１の情報再生装置と前記第２の情報再生装置との接続を遮断した状態で、コンテンツの再生状態を示す再生情報を前記第２の情報再生装置に格納する格納工程と、前記格納工程の後、前記第１及び第２の情報再生装置を通信可能に接続した状態で、前記第２の情報再生装置から前記第１の情報再生装置に、前記再生情報を伝送する伝送工程と、を含み、伝送された前記再生情報に基づいて、前記第１の情報再生装置に記憶された前記コンテンツの再生を行うことを特徴とする。
【０００９】
第２の発明は、他の情報再生装置に対して、無線又は有線通信手段を介して通信可能な
情報再生装置において、前記他の情報再生装置から、コンテンツの再生状態を示す再生情報を受信する再生情報受信部を含み、受信した前記再生情報に基づいて、記憶部に記憶された前記コンテンツの再生を行うことを特徴とする。
【００１０】
第３の発明は、他の情報再生装置に対して、無線又は有線通信手段を介して通信可能な情報再生装置において、コンテンツの再生状態を示す再生情報を格納する再生情報格納部と、前記他の情報再生装置に前記再生情報を送信する再生情報送信部と、を含むことを特徴とする。
【００１１】
第４の発明は、他の情報再生装置に対して、無線又は有線通信手段を介して通信可能な情報再生装置を用いた情報再生方法において、前記他の情報再生装置から、コンテンツの再生状態を示す再生情報を受信する再生情報受信工程と、受信した前記再生情報に基づいて、前記コンテンツの再生を行う再生制御工程と、を有することを特徴とする。
【００１２】
第５の発明は、他の情報再生装置に対して、無線又は有線通信手段を介して通信可能な情報再生装置を用いた情報再生方法において、コンテンツの再生状態を示す再生情報を格納する再生情報格納工程と、前記他の情報再生装置に前記再生情報を送信する再生情報送信工程と、を有することを特徴とする。
【発明の効果】
【００１３】
本発明は、共に記憶部を有する情報再生装置と情報再生端末において、動作情報を共有する事で再生時の操作性を向上させることができる。
【発明を実施するための最良の形態】
【００１４】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１５】
（第１の実施の形態）
図２は本発明が実施されるデジタル放送受信および記録録画再生が可能である情報再生機３８の構成図である。情報再生機３８は一つの情報再生装置である。
【００１６】
２２は本装置全体を制御するシステム制御部、２１はシステム制御部２２と各制御回路を結ぶ共通バスである。ＲＡＭメモリ２３はシステム制御部２２のワークメモリとして使われ、プログラムメモリ２４はシステム制御部２２のプログラム格納用として用いられる。
【００１７】
アンテナ１１からのデジタル放送波を受信しシステム制御部２２の指示に従い所望の周波数を選択するデジタルチューナー１２からの信号は、トランスポートストリームと呼ばれる形式のデジタルデータを生成する。
【００１８】
次にデマルチプレクサ１３に送られＰＳＩ（Program Specific Information）中のＰＡＴ（Program Association Table）およびＰＭＴ（Program Map Table）を用い、時分割多重化されたトランスポートストリーム中のプログラム番号・ＰＩＤの値・ストリームタイプの内容が分かる。ここから所望の映像／音声ストリームを選択し、ＡＶデコーダ１４に出力する。
【００１９】
同時にデマルチプレクサ１３は録画すべき番組に必要なストリームのみで構成されたパーシャルトランスポートストリーム（以下ＰＴＳと略）をバス２１に流す。逆にデマルチ
プレクサ１３はバス２１に流れているＰＴＳをデマルチプレクスして映像／音声ストリームにしてＡＶデコーダ１４に渡すこともできる。
【００２０】
ＡＶデコーダ１４で映像ストリームはＭＰＥＧ２映像をデコードし非圧縮動画映像データに変換される。
【００２１】
合成回路１５は動画映像データと後述するＯＳＤ１７からのＯＳＤ映像信号を合成し、表示器１６に映像を表示する。デマルチプレクサ１３からの音声ストリームはＡＶデコーダ１４にてＭＰＥＧ２音声をデコードし、非圧縮音声データに変換し、デジタル−アナログコンバータ１８でアナログ信号に変換しスピーカー１９から音を出す。
【００２２】
ＨＤＤ−ＩＦ２５はシステム制御部２２からの指示に従い、バス２１に流されるＰＴＳ形式の番組をＨＤＤ２６に録画したり、逆にＨＤＤ２６に録画された番組を再生してＰＴＳ形式でバス２１に流したりすることが可能である。本実施形態において、ＨＤＤ２６は、記憶部および再生情報格納部を構成する。
【００２３】
ユーザーは赤外線を発するリモコン２９を操作して、この情報再生機３８に対してチャネル切り替え・録画等を指示する。受光部２８はリモコン２９からの赤外線を受光し、受光した信号をリモコンＩＦ２７が共通バス２１にデータとして伝える。
【００２４】
通信ＩＦ３１はバス２１に流されるＰＴＳ形式の番組を通信コネクタ３２を介して情報再生端末６８に送信したり、逆に情報再生端末６８からＰＴＳ形式の番組を受信したりできる。
【００２５】
更に通信ＩＦ３１はシステム制御部２２からの指示に従い情報再生端末６８との間でコマンド（後述する）の送受信を行う。情報再生機３８と情報再生端末６８の間の通信は双方性であり、コマンドだけでなく、ＰＴＳ形式の番組データも送受信可能な高速通信とする。本実施形態において、通信ＩＦ３１は再生情報受信部および再生情報送信部を構成する。
【００２６】
ＯＳＤ１７はシステム制御部２２からの指示に従いメニューなどの画面を作成し、合成回路１５にその画面を転送する。
【００２７】
図３は本発明が実施される記録録画再生が可能である情報再生端末６８の構成図である。情報再生端末６８は一つの情報再生装置である。
【００２８】
５２は本装置全体を制御するシステム制御部、５１はシステム制御部５２と各制御回路を結ぶ共通バスである。ＲＡＭメモリ５３はシステム制御部５２のワークメモリとして使われ、プログラムメモリ５４はシステム制御部５２のプログラム格納用として用いられる。
【００２９】
ユーザーはキー５８を操作して、この情報再生端末６８に対して再生等を指示する。キー５８からの信号をキーＩＦ５７が共通バス５１にデータとして伝える。
【００３０】
通信ＩＦ６１は通信コネクタ６２を介して情報再生機３８からＰＴＳ形式の番組を受信しバス５１に流したり、逆に情報再生機３８に送信したりできる。更に通信ＩＦ６１はシステム制御部５２からの指示に従い情報再生機３８との間でコマンドの送受信を行う。本実施形態において、通信ＩＦ６１は再生情報受信部および再生情報送信部を構成する。
【００３１】
不揮発性メモリＩＦ５５はシステム制御部５２からの指示に従い、バス５１に流される
ＰＴＳ形式の番組を不揮発性メモリ５６に録画したり、逆に不揮発性メモリ５６に録画された番組を再生してＰＴＳ形式でバス５１に流したりすることが可能である。本実施形態において、不揮発性メモリ５６は、記憶部および再生情報格納部を構成する。
【００３２】
デマルチプレクサ４３はバス５１上のＰＴＳをデマルチプレクスして映像／音声ストリームにしてＡＶデコーダ４４に渡す。ＡＶデコーダ４４で映像ストリームはＭＰＥＧ２映像をデコードし非圧縮動画映像データに変換される。
【００３３】
合成回路４５は動画映像データと後述するＯＳＤ４７からのＯＳＤ映像信号を合成し、表示器４６に映像を表示する。デマルチプレクサ４３からの音声ストリームはＡＶデコーダ４４にてＭＰＥＧ２音声をデコードし、非圧縮音声データに変換し、デジタル−アナログコンバータ４８でアナログ信号に変換しスピーカー４９から音を出す。
【００３４】
ＯＳＤ４７はシステム制御部５２からの指示に従いメニューなどの画面を作成し、合成回路４５にその画面を転送する。
【００３５】
図４にＨＤＤ２６もしくは不揮発性メモリ５６に記憶される１つの番組の番組フォーマットである番組ファイル８０の構造を示す。番組情報を記録するヘッダ部８１、オプション情報を記録するオプション部８６、番組内容をＰＴＳ形式で記録する内容ＴＳ部９１に分かれる。
【００３６】
ヘッダ部８１はデジタル放送のＰＳＩ中に含まれる番組を判別するためのＩＤである番組ＩＤ８２、同じくＰＳＩ中に含まれる番組名である番組名８３、番組を再生した時の累積再生時間を示す再生経過時間８４、動作指定８５からなる。録画時に再生経過時間８４の値は「０」である。動作指定８５とオプション部８６の説明は後述する。本実施形態において、コンテンツは、内容ＴＳ部９１からなる。また、コンテンツに関連付けられた記憶動作情報は、番組ＩＤ８２、番組名８３、再生経過時間８４、動作指定８５およびオプション部８６からなる。また、コンテンツの再生情報は、再生経過時間８４、動作指定８５およびオプション部８６からなる。
【００３７】
図１に情報再生機３８と情報再生端末６８を各々の通信コネクタ３２，６２を介してケーブル７０で接続した様子を示す。
【００３８】
図５〜図７に情報再生機３８と情報再生端末６８の動作をフローチャートで示す。最初、情報再生機３８と情報再生端末６８はケーブル７０で接続されているとする（Ｓ１０１）。
【００３９】
ユーザーは情報再生機３８に対し、リモコン２９を操作して、受信番組を録画指示する（Ｓ１０２）。
【００４０】
その操作はリモコンＩＦ２７を介してシステム制御部２２に伝わり、システム制御部２２はデジタルチューナー１２に周波数を指定し、デマルチプレクサ１３からバス２１に指定番組のＰＴＳが流れる（Ｓ１０３）。
【００４１】
システム制御部２２はＨＤＤ−ＩＦ２５に対し、バス２１に流れている指定ＰＴＳをＨＤＤ２６に記録する指示を出す（Ｓ１０４）。
【００４２】
システム制御部２２は通信ＩＦ３１に対し番組ＩＤ８２、再生経過時間８４（値は０）等のヘッダ部８１の情報を付加した記録データを送るコマンドを発行する指示をし、通信ＩＦ３１は記録データ送信コマンドと指定ＰＴＳを通信コネクタ３２およびケーブル７０
を介して情報再生端末６８に送る（Ｓ１０６）。
【００４３】
ここで送信コマンドは番組ファイルを送信するというコマンドで、番組ＩＤ等のヘッダ部８１の情報が付加される。情報再生端末６８の通信ＩＦ６１は通信コネクタ６２を介し、番組ＩＤ等のヘッダ部８１の情報を付加した記録データ送信コマンドと指定ＰＴＳを受け取る（Ｓ１０７）。
【００４４】
システム制御部５２は通信ＩＦ６１が受け取った記録データ送信コマンドに基づき、番組ＩＤ等のヘッダ部８１の情報と共に指定ＰＴＳを不揮発性メモリＩＦ５５を介して不揮発性メモリ５６に書き込むように指令する（Ｓ１０８）。
【００４５】
番組放送が終了したのでユーザーは情報再生機３８に対し、リモコン２９を用いて、受信番組の録画中止を指示する（Ｓ１０９）。
【００４６】
システム制御部２２はＨＤＤ−ＩＦ２５に記録中止を指示する（Ｓ１１１）。同時にシステム制御部２２は通信ＩＦ３１に端末６８に記録データを中止するコマンドを発行し、通信ＩＦ３１は記録データ中止コマンドを通信コネクタ３２およびケーブル７０を介して情報再生端末６８に送る（Ｓ１１２）。
【００４７】
情報再生端末６８の通信ＩＦ６１は通信コネクタ６２を介し記録データ中止コマンドを受け取る（Ｓ１１３）。
【００４８】
システム制御部５２は通信ＩＦ６１が受け取った記録データ中止コマンドに基づき不揮発性メモリＩＦ５５に書き込み中止を指示する（Ｓ１１４）。
【００４９】
ここで情報再生端末６８のみを外出時に持ち運ぼうとして、情報再生機３８と情報再生端末６８の接続を外す（Ｓ１１６）。
【００５０】
ユーザーは情報再生端末６８のキー５８の再生キーを操作して記録された番組の再生を指示する（Ｓ１１７）。
【００５１】
システム制御部５２は不揮発性メモリＩＦ５５を介して不揮発性メモリ５６から記録されている番組情報一覧を受け取る（Ｓ１１８）。
【００５２】
システム制御部５２は番組ファイル８０中の再生経過時間８４を調べ、その値が「０」以外である再生中断の番組があるか判断する（Ｓ１１９）。再生中断の番組があると判断すればＳ１２１へ進み、再生中断の番組が無いと判断すればＳ１２２へ進む。
【００５３】
Ｓ１２１ではシステム制御部５２は再生中断の番組の中断箇所からのＰＴＳをバス５１に流し中断部から自動再生を開始する（Ｓ１２１）。
【００５４】
Ｓ１２２ではシステム制御部５２は最後に録画された番組の最初からのＰＴＳをバス５１に流し、最後に録画された番組の最初から再生する（Ｓ１２２）。
【００５５】
デマルチプレクサ４３は指定ＰＴＳをバス５１を介して受け取りＡＶデコーダ４４に送り、ＡＶデコーダ４４は映像および音声デコードし、映像は表示器４６に表示され、音声はスピーカー４９から再生される（Ｓ１２３）。
【００５６】
ユーザーは再生を停止したくなったら情報再生端末６８のキー５８の停止キーを操作して番組の再生の中断を指示する（Ｓ１２５）。
【００５７】
システム制御部５２は再生中断までの経過時間をヘッダ部８１の情報の再生経過時間８４に書き込み、番組ファイル８０として不揮発性メモリ５６に保存する（Ｓ１２６）。
【００５８】
ユーザーは家に帰ってきたので情報再生機３８と情報再生端末６８をケーブル７０で再接続する（Ｓ１３１）。
【００５９】
システム制御部５２は保存されていた再生経過時間８４を含むヘッダ部８１をレジュームコマンドに付加して通信ＩＦ６１から通信コネクタ６２を介して情報再生機３８に送る（Ｓ１３２）。
【００６０】
システム制御部２２は通信ＩＦ３１が受け取ったレジュームコマンドに基づき、ヘッダ部８１の番組ＩＤ８２から番組を指定し、再生経過時間８４から経過時間を知り、指定番組の指定時間からのＰＴＳをＨＤＤ２６から読み出すようにＨＤＤ−ＩＦ２５に指令する（Ｓ１３３）。
【００６１】
ＨＤＤ−ＩＦ２５は指定番組の指定時間からのＰＴＳをバス２１に流す（Ｓ１３４）。
【００６２】
デマルチプレクサ１３は指定ＰＴＳをバス２１を介して受け取りＡＶデコーダ１４に送り、ＡＶデコーダ１４は映像および音声デコードし、映像は表示器１６に表示され、音声はスピーカー１９から再生される（Ｓ１３６）。
【００６３】
以上の操作が自動的に行われ、情報再生端末６８で途中まで見た番組を再生中断した箇所から情報再生機３８で再生表示できることになる。
【００６４】
このように、第１の実施の形態では、同一番組を異なる情報再生端末６８と情報再生機３８で再生する場合、再生経過時間を共有することで、他の機器で再生する際に、元の再生機器の再生時間の続きから視聴できる。
【００６５】
なお、情報再生機３８と情報再生端末６８はケーブル７０で接続としたが、コネクタ同志を直接接続しても良い。更に情報再生機３８と情報再生端末６８は共に無線機能を持つなら、無線で通信しても良い。もしくは共にネットワーク機能を持つならば、ヘッダ情報はネットワーク経由で伝送しても良い。
【００６６】
情報再生機３８と情報再生端末６８は接続時にＨＤＤ２６と不揮発性メモリ５６に対し、同時に録画するとしたがＨＤＤ２６にのみ録画しておき、不揮発性メモリ５６にはあとで転送して記録しても良い。
【００６７】
情報再生機３８と情報再生端末６８は同一内容を異なる記録フォーマットで記録しても良い。例えば情報再生機３８の記録フォーマットはＭＰＥＧ２、情報再生端末６８の記録フォーマットはＭＰＥＧ４としても良い。
【００６８】
情報再生機３８と情報再生端末６８は同一内容を異なるビットレートで記録しても良い。例えば情報再生機３８の方が情報再生端末６８よりも高いビットレートで記録する。
【００６９】
また、デジタル放送を例に取ったがアナログ放送も同様の例で実施できる。
【００７０】
記憶装置として情報再生機３８はＨＤＤ、情報再生端末６８は不揮発性メモリを例に挙げたが、逆でも良いし、書き込み可能なＤＶＤなどの光ディスクなどでも良い。
【００７１】
（第２の実施の形態）
図８、図９にフローチャート、図１０に画面例を示し、第２の実施の形態の説明をする。
【００７２】
図８において情報再生端末６８で再生画面を視聴している所（図６のＳ１２３）までは第１の実施の形態と同一なのでここではそこまでの説明を略する。ここでユーザーは情報再生端末６８のキー５８のｉｎｄｅｘキー（図示せず）を操作して再生番組中にｉｎｄｅｘを付ける（Ｓ１４１）。再生中にユーザーは削除したい領域の最初と最後とか、再度自宅の大きい画面でじっくり見たい領域の最初と最後を指定するなど目印を付けたい箇所でｉｎｄｅｘを付ける。
【００７３】
システム制御部５２はｉｎｄｅｘキーが押される度にオプション部８６のｉｎｄｅｘ領域のｉｎｄｅｘ０から順に、経過時間を不揮発性メモリ５６に保存する（Ｓ１４２）。オプション部８６のｉｎｄｅｘ領域は１６個用意されており、ｉｎｄｅｘ０からｉｎｄｅｘ１５まで指定できるとする。今回の例では全部で３個のｉｎｄｅｘを登録したとする。
【００７４】
これを停止キーが押され再生が中断するまで続ける（Ｓ１４３）。中断したらシステム制御部５２は番組の再生の中断を指示する（Ｓ１４４）。システム制御部５２はヘッダ部８１の再生経過時間８４の領域を、中断箇所の時間に置き換えて番組ファイル８０として不揮発性メモリ５６に保存する（Ｓ１４６）。
【００７５】
再び情報再生機３８と情報再生端末６８をケーブル７０で再接続する（Ｓ１４７）。すると、システム制御部５２は保存されていたヘッダ部８１とオプション部８６をレジュームコマンドに付加して通信ＩＦ６１から通信コネクタ６２を介して情報再生機３８に送る（Ｓ１４８）。
【００７６】
システム制御部２２は通信ＩＦ３１が受け取ったレジュームコマンドに基づき、ヘッダ部８１の番組ＩＤ８２から番組を指定し、再生経過時間８４から経過時間を知り、指定番組の指定時間からのＰＴＳをＨＤＤ２６から読み出すようにＨＤＤ−ＩＦ２５に指令する（Ｓ１４９）。ＨＤＤ−ＩＦ２５は指定番組の指定時間からのＰＴＳをバス２１に流す（Ｓ１５１）。
【００７７】
デマルチプレクサ１３は指定ＰＴＳをバス２１を介して受け取りＡＶデコーダ１４に送り、ＡＶデコーダ１４は映像および音声デコードし、映像は表示器１６に表示され、音声はスピーカー１９から再生される（Ｓ１５２）。
【００７８】
ユーザーはリモコン２９の編集キー（図示せず）を押す（Ｓ１５３）。ＯＳＤ１７は図１０（Ａ）のような画面を作成し、表示器１６に表示し、編集モードになっていることを知らせる（Ｓ１５４）。ここで１７０は指定番組の時間経過を示し、１７１は番組の最初の位置、１７６は番組の最後の位置、１７２から１７４はユーザーが指定したｉｎｄｅｘの位置、１７５は再生途中の位置を示している。１７７は現在の状態を示している。
【００７９】
ユーザーがリモコン２９のカーソル（図示せず）を操作してｉｎｄｅｘ１７２の位置で決定キー（図示せず）を押すと、ｉｎｄｅｘ１７２の三角形の色が変わり、更にカーソルを操作してｉｎｄｅｘ１７３の位置で決定キーを押すと、ｉｎｄｅｘ１７３の三角形の色が変わると共にｉｎｄｅｘ１７２とｉｎｄｅｘ１７３の間の領域の色も変わるようにシステム制御部２２はＯＳＤ１７に指示する。１７８に「指定区間を削除します。決定キーを押してください。」とのメッセージを表示し、図１０（Ｂ）のような画面で指定区間の削除を知らせる（Ｓ１５６）。
【００８０】
ユーザーが決定キーを押すと、ＯＳＤ１７は図１０（Ｃ）のような画面を作成し、表示器１６に表示し、ｉｎｄｅｘ１７２とｉｎｄｅｘ１７３の間が削除したことを知らせる（Ｓ１５７）。ユーザーはリモコン２９の編集キーを押すと、システム制御部２２は編集モードを終了し、再生が再開する（Ｓ１５８）。
【００８１】
このように、第２の実施の形態では、同一番組を異なる情報再生機３８と情報再生端末６８で再生・編集する場合、ｉｎｄｅｘを共有することで、元の機器で再生時にｉｎｄｅｘを付け、他の機器でそのｉｎｄｅｘを元に編集する際に簡単に編集出来る。
【００８２】
（第３の実施の形態）
図１１にフローチャート、図１２に画面例を示し、第３の実施の形態の説明をする。
【００８３】
図１１において情報再生端末６８で再生を停止した所（図６のＳ１２６）までは第１の実施の形態と同一なのでそこまでの説明を略する。
【００８４】
ここでＯＳＤ１７は図１２のような画面を作成し、表示器１６に表示し、動作指定を促す（Ｓ２０１）。ここで２２１は動作を促すメッセージを表示し、２２２から２２４の動作のどれかをユーザーが選択する。
【００８５】
ユーザーは情報再生端末６８のキー５８のカーソルキーと決定キー（図示せず）を操作して「続きを見る」「最初から見る」「番組を削除する」の中から動作を指示する（Ｓ２０２）。システム制御部５２は指定された動作をヘッダ部８１の動作指定８５として、不揮発性メモリ５６に保存する（Ｓ２０３）。
【００８６】
情報再生機３８と情報再生端末６８をケーブル７０で再接続する（Ｓ２０４）。システム制御部５２は保存されていたヘッダ部８１をレジュームコマンドに付加して通信ＩＦ６１から通信コネクタ６２を介して情報再生機３８に送る（Ｓ２０６）。
【００８７】
システム制御部２２は通信ＩＦ３１が受け取ったレジュームコマンドに基づき、ヘッダ部８１の番組ＩＤ８２から番組を指定し、再生経過時間８４から経過時間を知り、動作指定８５から動作を知る（Ｓ２０７）。動作指定８５から動作を判定し（Ｓ２０８）、「続きを見る」ならＳ２０９へ、「最初から見る」ならＳ２１１へ、「番組を削除する」ならＳ２１２へ進む。
【００８８】
Ｓ２０９ではシステム制御部２２はヘッダ部８１から読みとった指定番組の指定時間からのＰＴＳをＨＤＤ２６から読み出すようにＨＤＤ−ＩＦ２５に指令する（Ｓ２０９）。ＨＤＤ−ＩＦ２５はＰＴＳをバス２１に流す（Ｓ２１３）。デマルチプレクサ１３は指定ＰＴＳをバス２１を介して受け取りＡＶデコーダ１４に送り、ＡＶデコーダ１４は映像および音声デコードし、映像は表示器１６に表示され、音声はスピーカー１９から再生される（Ｓ２１６）。
【００８９】
Ｓ２１１ではシステム制御部２２はヘッダ部８１から読みとった指定番組の最初からＰＴＳをＨＤＤ２６から読み出すようにＨＤＤ−ＩＦ２５に指令する（Ｓ２１１）。そしてＳ２１３へつながる。
【００９０】
Ｓ２１２ではシステム制御部２２はヘッダ部８１から読みとった指定番組の番組ファイルをＨＤＤ２６から削除するようにＨＤＤ−ＩＦ２５に指令する（Ｓ２１２）。その指示によりＨＤＤ−ＩＦ２５は指定番組の番組ファイルをＨＤＤ２６から削除する（Ｓ２１４）。
【００９１】
第３の実施の形態では、同一番組を異なる情報再生機３８と情報再生端末６８で再生する場合、動作指定を共有することで、元の機器で再生時に動作指定をし、他の機器で再生しようとする際に、動作を自動的に行うことができる。
【００９２】
以上説明したように、本発明の第１〜第３の実施の形態においては、情報再生端末がデジタルチューナーを備えていない例を示したが、情報再生端末がデジタルチューナーを備える構成も可能である。このような構成をとることで、情報再生機から情報再生端末に記録データ送信コマンド及び指定番組のＰＴＳを送信しなくても、直接、情報再生端末にこれらの情報を記録することができる。
【００９３】
また、上述した実施の形態の機能を実現するべく各種のデバイスを動作させるように、該各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００９４】
また、この場合、前記ソフトウェアのプログラムコード自体が上述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９５】
また、コンピュータが供給されたプログラムコードを実行することにより、上述の実施の形態の機能が実現されるだけでなく、そのプログラムコードがコンピュータにおいて稼働しているＯＳ（オペレーティングシステム）あるいは他のアプリケーションソフト等と共同して上述の実施の形態の機能が実現される場合にもかかるプログラムコードは本発明の実施の形態に含まれることは言うまでもない。
【００９６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれることは言うまでもない。
【図面の簡単な説明】
【００９７】
【図１】情報再生機と情報再生端末の接続図である。
【図２】情報再生機のブロック図である。
【図３】情報再生端末のブロック図である。
【図４】番組ファイルである。
【図５】第１の実施の形態に係るフローチャートである。
【図６】第１の実施の形態に係るフローチャートである。
【図７】第１の実施の形態に係るフローチャートである。
【図８】第２の実施の形態に係るフローチャートである。
【図９】第２の実施の形態に係るフローチャートである。
【図１０】第２の実施の形態に係る画面例である。
【図１１】第３の実施の形態に係るフローチャートである。
【図１２】第３の実施の形態に係る画面例である。
【符号の説明】
【００９８】
１２  デジタルチューナー
１３，４３  デマルチプレクサ
１４，４４  ＡＶデコーダ
１５，４５  合成回路
１６，４６  表示器
２２，５２  システム制御部
２５  ＨＤＤ−ＩＦ
２７  リモコンＩＦ
２９  リモコン
３１，６１  通信ＩＦ
５５  不揮発性メモリＩＦ
５８  キー
【図１】
2005251374.tif 000003
【図２】
2005251374.tif 000004
【図３】
2005251374.tif 000005
【図４】
2005251374.tif 000006
【図５】
2005251374.tif 000007
【図６】
2005251374.tif 000008
【図７】
2005251374.tif 000009
【図８】
2005251374.tif 000010
【図９】
2005251374.tif 000011
【図１０】
2005251374.tif 000012
【図１１】
2005251374.tif 000013
【図１２】
2005251374.tif 000014